(57)【要約】【課題】医用画像、その他の画像の２重あるいは多重のバックアップを容易にすることを目的とする。【解決手段】画像受信手段は、医用画像生成装置で生成された医用画像をＬＡＮによって受信し、受信した医用画像を第２の記憶媒体、第１の記憶媒体に順次格納する。第１の記憶媒体には、転送制御手段が接続され、転送制御手段はＬＡＮを介して外部記憶部に接続されている。転送回数設定記憶手段はバックアップすべき回数（設定バックアップ回数）、例えば２重バックアップ、３重バックアップ等を記憶し、現転送回数記憶手段は１個の画像データについて既に実行されたバックアップ回数（実バックアップ回数）を記憶する。設定バックアップ回数と、実バックアップ回数とを比較し、確実に所定バックアップ回数のバックアップを実行する。【選択図】        図３
2004179787.tif 000002
【特許請求の範囲】
【請求項１】
記憶媒体に画像データを保存する画像保存ステップと、
前記記憶媒体に保存された前記画像データが所定容量に達したかどうかを判定する容量判定ステップと、
前記記憶媒体に保存された前記画像データが前記所定容量に達したときに、前記画像データを外部記憶部に転送する転送ステップと、
前記転送ステップにて、前記画像データを前記外部記憶部に転送した転送回数を記憶する転送回数記憶ステップと、
前記画像データを前記外部記憶部に転送すべき設定転送回数を記憶し、かつ前記転送回数が前記設定転送回数に達するまで前記転送を実行させる転送制御ステップと、
を有する画像保存方法。
【請求項２】
前記転送ステップは前記外部記憶部からの信号を受けて前記転送を開始することを特徴とする請求項１に記載の画像保存方法。
【請求項３】
前記転送回数が前記設定転送回数に達した後に、前記画像データを削除するとともに、前記転送回数記憶ステップにて記憶している前記転送回数をクリアする削除制御ステップを有することを特徴とする請求項１または２に記載の画像保存方法。
【請求項４】
前記画像保存ステップは、画像データを第２の記憶媒体に保存する第１の画像保存ステップと、前記第１の画像保存ステップの後に前記画像データを第１の記憶媒体に保存する第２の画像保存ステップとを含み、前記バックアップステップに際しては、第２の記憶媒体から前記外部記憶部に画像データを転送することを特徴とする請求項１ないし３のいずれか記載の画像保存方法。
【請求項５】
前記第１の記憶媒体および前記第２の記憶媒体に保存された画像データを削除する際に、削除可否を判断する削除制御ステップをさらに備え、前記削除制御ステップでは、削除すべき画像データが第２の記憶媒体に存在しないときにのみ第１の記憶媒体の画像データを削除することを特徴とする請求項４に記載の画像保存方法。
【請求項６】
前記容量判定ステップは前記第２の記録媒体に保存された前記画像データが前記所定容量に達したかどうかを判定する請求項４に記載の画像保存方法。
【請求項７】
前記所定容量は外部記憶部の記憶容量に基づいて設定されることを特徴とする請求項６に記載の画像保存方法。
【請求項８】
前記外部記憶部の記憶容量を検出する記憶容量検出ステップを有し、転送制御ステップは前記記憶容量検出ステップにて検出される前記外部記憶部の記憶容量が所定容量に満たない場合には、前記転送ステップによる前記画像データの転送を禁止することを特徴とする請求項１ないし７のいずれか記載の画像保存方法。
【請求項９】
前記記憶容量検出ステップにて検出される前記外部記憶部の記憶容量が所定容量以上である場合には、前記転送ステップは前記画像データの転送を開始することを特徴とする請求項８に記載の画像保存方法。
【請求項１０】
前記画像データは医用画像データであることを特徴とする請求項１ないし９のいずれかに記載の画像保存方法。
【請求項１１】
前記画像データは１回の検査を最小単位としてバックアップされることを特徴とする請求項９記載の画像保存方法。
【請求項１２】
画像データが保存される記憶媒体と、
前記記憶媒体に接続された外部記憶部と、
前記記憶媒体の画像データを外部記憶部へ転送する設定転送回数を記憶する転送回数設定記憶部と、
前記記憶媒体、前記外部記憶部および前記転送設定へ転送する転送制御手段と、
を備えた画像保存装置。
【請求項１３】
請求項１ないし１１のいずれかに記載の画像保存方法の各ステップをコンピュータに実行させるためのプログラムコードを有するコンピュータ実行可能なプログラム。
【請求項１４】
請求項１３記載のプログラムが格納された記憶媒体。
【発明の詳細な説明】
【０００１】
【発明の属する技術分野】
本発明は、画像保存方法、画像保存装置、プログラム、および記憶媒体に関する。
【０００２】
【従来の技術】
医用画像には医用Ｘ線画像、ＣＴスキャン画像、ＭＲＩ画像等があるが、従来の医用画像はフイルム・スクリーン系の撮影装置によって撮影された。
【０００３】
一方、医用画像のデジタル化に関する国際規格ＤＩＣＯＭ（ｄｉｇｉｔａｌ  ｉｎｆｏｒｍａｔｉｏｎ  ａｎｄ  ｃｏｍｍｕｎｉｃａｔｉｏｎ  ｉｎ  ｍｅｄｉｃｉｎｅ）に呼応して、我が国では日本放射線機器工業会（ＪＩＲＡ）によりＭＩＰＳ（ｍｅｄｉｃａｌ  ｉｍａｇｅ  ｐｒｏｃｅｓｓｉｎｇ  ｓｙｓｔｅｍ）規格が制定され、医用画像のデジタル化が進行している。
【０００４】
このような背景の下、医用Ｘ線画像をデジタルデータとして検出・生成するＸ線デジタル撮影装置が開発されている。例えば、Ｘ線に対して感度を持ち、検出したＸ線の強度に応じたアナログ信号を出力する固体撮像素子を用い、アナログ信号をＡ／Ｄ変換してデジタルデータを得る平面センサーパネルを用いたＸ線撮影装置がある。Ｘ線撮影装置は従来の撮影装置と比べはるかに小型であり、受診者の被爆線量を軽減できること等からあらゆる方面で積極的に使われ始めている。
【０００５】
Ｘ線デジタル撮影装置においては、医用画像はフイルムではなくデジタルデータとして生成され、ＰＡＣＳと呼ばれる画像保存、参照システムによって保存、読影される。医用画像は、医師法に基づく保存義務があるばかりでなく、医療過誤に関する争の証拠方法であり、紛失防止対策が重要である。
【０００６】
そこで特開平４−２９６９８６号公報において、バックアップ作業を容易にする画像処理制御装置が提案されている。
【０００７】
【発明が解決しようとする課題】
しかしながら、前記従来画像処理制御装置は、２重あるいは多重のバックアップについては配慮されていない。医用画像は診断等に使用されるものと、情報改竄がないことを証明するものとが保存される必要があり、２重あるいは多重のバックアップが不可欠である。しかし大容量の医用画像を２重あるいは多重にバックアップする作業は煩雑である。
【０００８】
本発明はこのような従来の問題点を解消すべく創案されたもので、医用画像、その他の画像の２重あるいは多重のバックアップを容易にすることを目的とする。
【０００９】
【課題を解決するための手段】
本発明に係る画像保存方法は、記憶媒体に画像データを保存する画像保存ステップと、前記記憶媒体に保存された前記画像データが所定容量に達したかどうかを判定する容量判定ステップと、前記記憶媒体に保存された前記画像データが前記所定容量に達したときに、前記画像データを外部記憶部に転送する転送ステップと、前記転送ステップにて、前記画像データを前記外部記憶部に転送した転送回数を記憶する転送回数記憶ステップと、前記画像データを前記外部記憶部に転送すべき設定転送回数を記憶し、かつ前記転送回数が前記設定転送回数に達するまで前記転送を実行させる転送制御ステップとを有する。これによって、医用画像、その他の画像の２重あるいは多重のバックアップが容易になる。
【００１０】
本発明に係る画像保存方法において、前記転送ステップは前記外部記憶部からの信号を受けて前記転送を開始するものであってもよい。
【００１１】
本発明に係る画像保存方法は、前記転送回数が前記設定転送回数に達した後に、前記画像データを削除するとともに、前記転送回数記憶ステップにて記憶している前記転送回数をクリアする削除制御ステップを有するものであってもよい。
【００１２】
本発明に係る画像保存方法において、前記画像保存ステップは、画像データを第２の記憶媒体に保存する第１の画像保存ステップと、前記第１の画像保存ステップの後に前記画像データを第１の記憶媒体に保存する第２の画像保存ステップとを含み、前記バックアップステップに際しては、第２の記憶媒体から前記外部記憶部に画像データを転送するものであってもよい。
【００１３】
本発明に係る画像保存方法は、前記第１の記憶媒体および前記第２の記憶媒体に保存された画像データを削除する際に、削除可否を判断する削除制御ステップをさらに備え、前記削除制御ステップでは、削除すべき画像データが第２の記憶媒体に存在しないときにのみ第１の記憶媒体の画像データを削除するものであってもよい。
【００１４】
本発明に係る画像保存方法において、前記容量判定ステップは前記第２の記録媒体に保存された前記画像データが前記所定容量に達したかどうかを判定するものであってもよい。
【００１５】
本発明に係る画像保存方法において、前記所定容量は外部記憶部の記憶容量に基づいて設定してもよい。
【００１６】
本発明に係る画像保存方法は、前記外部記憶部の記憶容量を検出する記憶容量検出ステップを有し、転送制御ステップは前記記憶容量検出ステップにて検出される前記外部記憶部の記憶容量が所定容量に満たない場合には、前記転送ステップによる前記画像データの転送を禁止してもよい。
【００１７】
本発明に係る画像保存方法において、前記記憶容量検出ステップにて検出される前記外部記憶部の記憶容量が所定容量以上である場合には、前記転送ステップは前記画像データの転送を開始するものであってもよい。
【００１８】
本発明に係る画像保存方法において、前記画像データは、例えば、医用画像データである。
【００１９】
本発明に係る画像保存方法において、前記画像データは、例えば、１回の検査を最小単位としてバックアップされる。
【００２０】
本発明に係る画像保存装置は、画像データが保存される記憶媒体と、前記記憶媒体に接続された外部記憶部と、前記記憶媒体の画像データを外部記憶部へ転送する設定転送回数を記憶する転送回数設定記憶部と、前記記憶媒体、前記外部記憶部および前記転送設定へ転送する転送制御手段とを備える。これによって、医用画像、その他の画像の２重あるいは多重のバックアップが容易になる。
【００２１】
本発明に係るコンピュータ実行可能なプログラムは、前記画像保存方法の各ステップをコンピュータに実行させるプログラムコードを有する。
【００２２】
本発明に係る記憶媒体は、前記コンピュータ実行可能なプログラムが格納される。
［第１の実施形態］
図１は、本発明に係る医用画像保存装置の第１の実施形態を示すブロック図、図２は、図１の医用画像保存装置の内部構成を示すブロック図、図３は、図１の医用画像保存装置の機能を示す機能ブロック図である。
図１において、医用画像保存装置１１０はローカルエリアネットワーク（ＬＡＮ）１００を介して、医用画像生成装置１３０、１４０、１５０および医療データサーバ１６０に接続されている。医用画像生成装置１３０、１４０は例えばＣＴスキャン装置、ＭＲＩ装置であり、医用画像生成装置１５０は例えばＸ線撮影装置である。
医用画像生成装置１３０、１４０、１５０で生成された医用画像は、医用画像データとして直接医用画像保存装置１１０に伝送され、あるいは一旦医療データサーバ１６０に保存された後、医用画像保存装置１１０に伝送される。直接医用画像保存装置１１０に伝送された医用画像データは医用画像保存装置１１０の記憶媒体に保存される。医用画像保存装置１１０は高精細カラー液晶モニタ１２０を備え、医用画像を高精細で表示し得る。
医用画像保存装置１１０には、ＬＡＮ１００を介してＤＶＤドライブ等の外部記憶部１７０が接続され、医用画像保存装置１１０で一旦保持された医用画像データは適時、２個あるいは複数のＤＶＤディスクにバックアップされる。これによって２重あるいは多重のバックアップが可能である。
図２において、医用画像保存装置１１０はバス２００にＣＰＵ２１０、ＲＡＭ２２０、ＲＯＭ２３０、通信インターフェース２４０、入力手段２６０を接続してなり、高精細カラー液晶モニタ１２０や、プリンタ２５０等の出力装置が適当なインターフェースを介してバス２００に接続されている。入力手段にはキーボード、ポインティングデバイス、マイクロフォン等が含まれる。
ＣＰＵ２１０は医用画像保存装置１１０全体、および出力装置の制御に使用され、その制御プログラムはＲＯＭ２３０に格納されている。通信インターフェース２４０はＬＡＮ１００による通信を制御し、適宜医用画像生成装置１３０、１４０、１５０や医療データサーバ１６０との間で医用画像データその他のデータを送受信する。
図３において、医用画像保存装置１１０は、ユーザーインターフェース手段３００（図１の高精細カラー液晶モニタ１２０、入力手段２６０に対応）で医用画像データの受信、表示、バックアップ等を指示する。ユーザーインターフェース手段３００は画像受信手段３１０、削除制御手段３４０、転送制御手段３５０、転送回数設定記憶手段３６０に接続されている。
画像受信手段３１０は、医用画像生成装置１３０、１４０、１５０で生成された医用画像データをＬＡＮ１００によって受信し、受信した医用画像データを第２の記憶媒体３３０、第１の記憶媒体３２０に順次格納する。第１の記憶媒体３２０は比較的大きな容量（例えば１２０Ｇバイト）を有し、大量の画像データを保存し得る。一方第２の記憶媒体３３０はバックアップまでの短期間の保存を前提とした比較的小さな容量（例えば１７Ｇバイト）とされる。すなわち第１の記憶媒体３２０に保存された画像データは長期間に渡って読影等に連続使用でき、バックアップによる作業中断は生じない。
第１の記憶媒体３２０、第２の記憶媒体３３０には削除制御手段３４０が接続され、第１の記憶媒体３２０、第２の記憶媒体３３０に記憶された画像データ等を削除し得る。
第１の記憶媒体３３０には、転送制御手段３５０が接続され、転送制御手段３５０はＬＡＮ１００を介して外部記憶部１７０に接続されている。転送回数設定記憶手段３６０は転送制御手段３５０に接続され、転送制御手段３５０にはさらに現転送回数記憶手段３７０が接続されている。
転送回数設定記憶手段３６０はバックアップすべき回数（設定バックアップ回数という。）、例えば２重バックアップ、３重バックアップ等を記憶し、現転送回数記憶手段３７０は１個の画像データについて既に実行されたバックアップ回数（実バックアップ回数という。）を記憶する。転送制御手段３５０は、設定バックアップ回数と、実バックアップ回数とを比較し、確実に所定バックアップ回数のバックアップを実行する。
図３の例では２重バックアップ（設定バックアップ回数は２回）を行っており、２個のＤＶＤディスクＤＶＤ１、ＤＶＤ２に医用画像データのバックアップを保存する。１枚のＤＶＤディスクは読影等の作業に使用され、他の１枚は保存用として通常の使用が禁止される。
画像受信手段３１０および転送制御手段３５０には、転送容量設定記憶手段３８０が接続され、転送容量設定記憶手段３８０には、転送制御手段３５０から外部記憶部１７０に転送すべき最小データ容量が記録される。転送容量設定記憶手段３８０は、医用画像生成装置１３０〜１５０から転送すべき最小データ容量を取得する。バックアップは画像データが最小データ容量に達するごとに行ってもよいが、第２の記憶媒体３３０の容量に余裕を持たせ、バックアップ頻度を減少させてもよい。
最小データ容量を４Ｇバイトとし、第２の記憶媒体３３０を４Ｇバイトの領域ごとにパーティションで仕切ると、４回分のバックアップデータを第２の記憶媒体に保存できる。これによってバックアップ頻度を最小限に抑え得る。例えば、１日の検査が完了するまでバックアップは実行せず、検査終了時にまとめてバックアップすれば、バックアップによって検査が中断されることがない。
このように所定回数のバックアップを自動的に実行するので、バックアップ作業は容易である。なお最小データ容量を数値的に設定せず、１検査のデータ容量等、内容により設定すれば、同時に参照すべき医用画像データが分断されることがなく、医用画像データ参照を効率化し得る。
図４は、医用画像保存装置１１０における画像受信手段３１０の処理を示すフローチャート、図５は、医用画像保存装置における転送制御手段３５０の処理を示すフローチャート、図６は、医用画像保存装置における削除制御手段３４０の処理を示すフローチャートである。
図４において、画像受信手段３２０は、次のステップを順次実行する。
ステップＳ４０１：画像受信をトリガーとして以下の処理が開始され、画像を受信しなかったときはそのまま処理を終了する。
ステップＳ４０２：受信した画像を最初に第２の記憶媒体３３０に保存し、ステップＳ４０３に移行する。
【００２３】
ステップＳ４０３：受信した画像を第１の記憶媒体３２０に保存し、ステップＳ４０４に移行する。
【００２４】
ステップＳ４０４：画像バックアップの最小単位は１回の検査の画像データであり、医用画像生成装置１３０〜１５０は１回分の検査の画像データを送信したときには、１回分送信完了を医用画像保存装置１１０に通知する。ステップＳ４０４では１回分完了の通知を受信したか否かを判断する。通知を受信しなかったときはステップＳ４１０に戻り、さらに画像受信を継続する。通知を受信したときはステップＳ４０５に移行する。
ＤＩＣＯＭ規格の医療データのデータ構造は図７のとおりであり、１人の患者データ（例えば患者Ｐｉ）に対し、１個または複数の検査データ（Ｔｉ１〜Ｔｉｕ）が対応する。
ステップＳ４０５：画像を送信している医用画像生成装置１３０、１４０または１５０に対して最小転送容量を要求し、ステップＳ４０６に移行する。
ステップＳ４０６：転送容量を受信したか否か判断し、転送容量を受信したときはステップＳ４０７に移行し、受信していなかったときはステップＳ４０５に戻る。
ステップＳ４０７：第２の記憶媒体３３０に最小転送容量以上の画像データが存在するか否か判断し、最小転送容量以上の画像データが存在するときはステップＳ４０８に移行する。最小転送容量以上の画像データが存在しないときはステップＳ４０９に移行する。
ステップＳ４０８：バックアップすべき画像データが存在する旨のメッセージをユーザーインターフェース３００に表示する。
ステップＳ４０９：医用画像生成装置１３０、１４０または１５０に対して、受信完了のメッセージを送信する。
図５において、転送制御手段３５０は、次のステップを順次実行する。
ステップＳ５０１：外部記憶部１７０においてＤＶＤディスクＤＶＤ１またはＤＶＤ２が挿入されたとき、転送制御手段３５０は挿入されたことの通知およびディスク容量Ｍを受信する。これをトリガにして以下の処理が実行される。
ステップＳ５０２：ディスク容量Ｍが転送容量よりも小さいとき、ステップＳ５０３に移行し、ディスク容量Ｍが転送容量以上であるときはステップＳ５０４に移行する。
ステップＳ５０３：ユーザーインターフェース手段３００により、ＤＶＤディスクが容量不足である旨のメッセージを表示し、そのまま処理を終了する。
ステップＳ５０４：第２記憶媒体３３０内の画像が１検査分に達しているか否か判断する。１検査分に達していたときは、ステップＳ５０６に移行し、１検査分に達していなかったときは、ステップＳ５０５に移行する。
ステップＳ５０５：ユーザーインターフェース手段３００により、１検査分のデータが存在しない旨のメッセージを表示し、そのまま処理を終了する。
ステップＳ５０６：第２の記憶媒体３３０内の画像データ容量が最小転送容量以上か否か判断する。画像データ容量が最小転送容量以上のときは、ステップＳ５０８に移行し、画像データ容量が最小転送容量より小さいときはステップＳ５０７に移行する。
ステップＳ５０７：ユーザーインターフェース手段３００により、第２の記憶媒体の画像容量が不充分である旨のメッセージを表示し、そのまま処理を終了する。
ステップＳ５０８：ＤＶＤディスクに画像データを転送し、ステップＳ５０９に移行する。
ステップＳ５０９：現転送回数Ｊを取得し、ステップＳ５１０に移行する。
ステップＳ５１０：Ｊを「１」加算し、ステップＳ５１１に移行する。
ステップＳ５１１：転送すべき回数ｋを取得し、ステップＳ５１２に移行する。
ステップＳ５１２：Ｊ＝ｋであるか否か判断する。Ｊ＝ｋのときはステップＳ５１３に移行し、Ｊがｋに達していなかったときはステップＳ５１５に移行する。
ステップＳ５１３：Ｊを「０」にリセットし、ステップＳ５１４に移行する。
ステップＳ５１４：第２の記憶媒体３３０において、転送済の画像データを削除する。削除の処理は削除制御手段３４０によって実行する。
ステップＳ５１５：転送回数設定記憶手段３６０にＪの値を記録し、ステップＳ５１５に移行する。
【００２５】
ステップＳ５１６：医用画像データのバックアップが完了したＤＶＤ−ＲＡＭ、あるいはバックアップ不能のときのＤＶＤ−ＲＡＭを排出し、そのまま処理を終了する。
図６において、削除制御手段３５４は、次のステップを順次実行する。
ステップＳ６０１：削除すべき画像データと同一画像データが第２の記憶媒体３３０に存在するか否か判断する。存在したときはステップＳ６０２に移行し、存在しなかったときはステップＳ６０３に移行する。画像データは第２の記憶媒体３２０に最初に保存されるので、第２の記憶媒体３２０に存在しないことによってバックアップ済であることを確認し得る。
ステップＳ６０２：ユーザーインターフェース手段により、バックアップが未了である旨のメッセージを表示し、そのまま処理を終了する。
ステップＳ６０３：転送済の画像データを第１の記憶媒体３３０から削除し、そのまま処理を終了する。
ステップＳ６０１でバックアップの完了を確認できるので、第１の記憶媒体３２０の画像データ削除により誤って画像データを消失する恐れはない。
図７において、医用画像表示装置１１０はＤＩＣＯＭ規格に基づく医療データを管理する。医療データは、患者（受診者）データＤ１、検査データＤ２、シリーズデータＤ３、医用画像データＤ４の４階層よりなる。各患者データ（例えば患者Ｐｉ）に１個または複数の検査データ（Ｔｉ１〜Ｔｉｕ）が対応し、各検査データ（例えば検査Ｔｉｊ）に１個または複数のシリーズデータ（Ｓｉｊ１〜Ｓｉｊｖ）が対応し、各シリーズデータ（例えばＳｉｊｋ）に１個または複数の医用画像データ（ＩＭｉｊｋ１〜ＩＭｉｊｋｗ）が対応する。各検査データは定期健康診断ごとの診断結果等よりなり、読影結果は検査データ（Ｔｉ１〜Ｔｉｕ）に含まれる。シリーズデータは１回の検査における胸部、腹部等異なる検査の結果等が含まれる。各シリーズデータには１枚または複数の画像が対応する。
［医用画像保存方法］
本発明に係る医用画像保存方法の一実施形態は、図４〜図６のステップＳ４０１〜Ｓ４０９、ステップＳ５０１〜Ｓ５１５、ステップＳ６０１〜Ｓ６０３を実行する。
［プログラム］
医用画像保存方法の実施形態をコンピュータで実行するプログラムは、図４〜図６のステップＳ４０１〜Ｓ４０９、ステップＳ５０１〜Ｓ５１５、ステップＳ６０１〜Ｓ６０３を実行するプログラムコードを含む。
［記憶媒体］
本発明にかかる医用画像保存方法は図２、図３の医用画像保存装置以外の装置、例えば汎用的なコンピュータでも実施可能であり、その場合、記憶媒体等で提供される制御プログラムを汎用コンピュータの外部記憶装置にセットし、オペレータ等の指示によりＣＰＵ等で実行してもよい。
［医用画像読影装置の第２の実施形態］
図８は本発明に係る医用画像保存装置の第２の実施形態を示すブロック図である。なお第１の実施形態（図２、図３）と同一若しくは相当部分には同一符号を付し、説明を省略する。
図８において、医用画像保存装置１１１０はインターネットＩＮ等の通信手段を介して、医用画像生成装置１１３０、１１４０、医療データサーバ１１５０、１１６０、外部記憶部１１７０に接続されている。
こように通信手段を介してこれらの機器を接続すれば、遠隔地で生成された医用画像を表示することが可能であり、また医療データをさらに他の施設で保存、管理し得る。
医療データサーバ１１５０、１１６０の用途は多様であり、別個の患者の医療データを個々に保存し、あるいは同一患者についての医療データを分割保存することも可能である。医療データの分散保持、管理にはリレーショナルデータベースが有効である。
なお本発明は医用画像データの保存に限定されるものではなく、２重あるいは多重バックアップが必要な任意の保存装置、保存方法、プログラム、記憶媒体に適用し得ることはいうまでもない。
【００２６】
【発明の効果】
本発明は、画像の２重あるいは多重のバックアップを容易にする。
【図面の簡単な説明】
【図１】本発明に係る医用画像保存装置の第１の実施形態を示すブロック図である。
【図２】図１の医用画像保存装置の内部構成を示すブロック図である。
【図３】図１の医用画像保存装置の機能を示す機能ブロック図である。
【図４】図３の医用画像保存装置における画像受信手段の処理を示すフローチャートである。
【図５】図３の医用画像保存装置における転送制御手段の処理を示すフローチャートである。
【図６】図３の医用画像保存装置における削除制御手段の処理を示すフローチャートである。
【図７】医療データのデータ構造を示す概念図である。
【図８】医用画像保存装置の第２の実施形態を示すブロック図である。
【符号の説明】
１１００、１８０、１１１０、１１２０  医用画像保存装置
１２０、１７０、３００、３５０  モニター
【図１】
2004179787.tif 000003
【図２】
2004179787.tif 000004
【図３】
2004179787.tif 000005
【図４】
2004179787.tif 000006
【図５】
2004179787.tif 000007
【図６】
2004179787.tif 000008
【図７】
2004179787.tif 000009
【図８】
2004179787.tif 000010